(57)【要約】【課題】バックパネル基板の拡張性を向上させることができるバックパネル基板拡張装置を提供する。【解決手段】主バックパネル基板１と拡張バックパネル基板９を備え、主バックパネル基板は、制御信号を発生する制御信号回路６と、主データ伝送用バス配線２の一端と接地の間に設けられた第１終端抵抗３と、バス配線２の他端に接続されたコネクタ７と、バス配線２の他端の近傍に設けられ、一方の端子がバス配線２に接続され、制御信号回路から拡張バックパネル基板を経由した制御信号で開閉制御されるスイッチ回路５の他方の端子と接地の間に設けられた第２終端抵抗４を備え、拡張バックパネル基板は、拡張データ伝送用バス配線１０と、この一端に接続され、コネクタ７に嵌合してバス配線２とバス配線１０を接続し且つ制御信号が経由する経路の一部を形成するコネクタ１３と、バス配線１０の他端と接地間に設けられた第３終端抵抗１１を備えている。【選択図】図１
2012174026.tif 000002
【特許請求の範囲】
【請求項１】
主バックパネル基板と拡張バックパネル基板を備えたバックパネル基板拡張装置であって、
前記主バックパネル基板は、
データを伝送する主データ伝送用バス配線と、
制御信号を発生する制御信号回路と、
前記主データ伝送用バス配線の一端と接地との間に設けられた第１終端抵抗と、
前記主データ伝送用バス配線の他端に接続され、前記拡張バックパネル基板を接続するための拡張バックパネル基板用コネクタと、
前記主データ伝送用バス配線の他端の近傍に設けられて、一方の端子が前記主データ伝送用バス配線に接続され、前記制御信号回路から前記拡張バックパネル基板を経由して送られてきた制御信号によって開閉が制御されるスイッチ回路と、
前記スイッチ回路の他方の端子と接地との間に設けられた第２終端抵抗
とを備え、
前記拡張バックパネル基板は、
データを伝送する拡張データ伝送用バス配線と、
前記拡張データ伝送用バス配線の一端に接続され、前記主バックパネル基板の拡張バックパネル基板用コネクタに嵌合して前記主データ伝送用バス配線と前記拡張データ伝送用バス配線とを接続するとともに、前記制御信号が経由する経路の一部を形成する主バックパネル基板用コネクタと、
前記拡張データ伝送用バス配線の他端と接地との間に設けられた第３終端抵抗
とを備えたバックパネル基板拡張装置。
【請求項２】
スイッチ回路は、主バックパネル基板に拡張バックパネル基板が接続されていない場合はオン状態にされ、前記主バックパネル基板に前記拡張バックパネル基板が接続されている場合は、制御信号回路から前記拡張バックパネル基板を経由して送られてきた制御信号によってオフ状態にされる
ことを特徴とする請求項１記載のバックパネル基板拡張装置。
【請求項３】
制御信号回路で発生される制御信号は、電源回路で発生される電源電圧である
ことを特徴とする請求項１または請求項２記載のバックパネル基板拡張装置。
【請求項４】
主バックパネル基板は、
データを伝送する主データ伝送用バス配線と、
制御信号を発生する制御信号回路と、
前記主データ伝送用バス配線の他端に接続され、拡張バックパネル基板を接続するための拡張バックパネル基板用コネクタと、
前記主データ伝送用バス配線の他端の近傍に設けられて、一方の端子が前記主データ伝送用バス配線に接続され、前記制御信号回路から前記拡張バックパネル基板を経由して送られてきた制御信号によって開閉が制御されるスイッチ回路と、
前記スイッチ回路の他方の端子と接地との間に設けられた第２終端抵抗と、
前記主データ伝送用バス配線の一端に接続され、他の拡張バックパネル基板を接続するための他の拡張バックパネル基板用コネクタと、
前記主データ伝送用バス配線の一端の近傍に設けられて、一方の端子が前記主データ伝送用バス配線に接続され、前記制御信号回路から前記他の拡張バックパネル基板を経由して送られてきた制御信号によって開閉が制御される他のスイッチ回路と、
前記他のスイッチ回路の他方の端子と接地との間に設けられた第１終端抵抗
とを備えたことを特徴とする請求項１から請求項３のうちのいずれか１項記載のバックパネル基板拡張装置。
【請求項５】
拡張バックパネル基板は、
データを伝送する拡張データ伝送用バス配線と、
前記拡張データ伝送用バス配線の一端に接続され、主バックパネル基板の拡張バックパネル基板用コネクタに嵌合する主バックパネル基板用コネクタと、
前記拡張データ伝送用バス配線の他端に接続され、他の拡張バックパネル基板の拡張バックパネル基板用コネクタに嵌合する拡張バックパネル基板用コネクタと、
前記拡張データ伝送用バス配線の他端の近傍に設けられて、一方の端子が前記拡張データ伝送用バス配線に接続され、前記制御信号回路から前記他の拡張バックパネル基板を経由して送られてきた制御信号によって開閉が制御される更に他のスイッチ回路と、
前記更に他のスイッチ回路の他方の端子と接地との間に設けられた第３終端抵抗
とを備えたことを特徴とする請求項１から請求項３のうちのいずれか１項記載のバックパネル基板拡張装置。
【発明の詳細な説明】
【技術分野】
【０００１】
この発明は、デイジーチェイン接続による周辺装置の増設、あるいは、ＳＣＳＩ（Small Computer System Interface）バス規格またはＳＳＴＬ（Stub Series Termination Logic）バス規格に代表されるバスラインの増設を行うバックパネル基板拡張装置に関するものである。
【背景技術】
【０００２】
従来、ホストシステムまたはこれとデイジーチェイン接続された周辺増設装置にデイジーチェイン接続される入力側コネクタと、他の周辺増設装置などがデイジーチェイン接続される出力側コネクタと、この出力側コネクタに他の周辺増設装置が接続されたことを検出するＬＥＤ（Light Emitting Diode）およびＣｄＳ（硫化カドミウム）セルからなる接続検出回路と、この接続検出回路からの検出信号により、デイジーチェイン接続の終端を短絡する終端短絡手段を備えた周辺増設装置としてのバックパネル基板拡張装置が知られている（例えば、特許文献１参照）。
【先行技術文献】
【特許文献】
【０００３】
【特許文献１】特開平５−１９９１９号公報
【発明の概要】
【発明が解決しようとする課題】
【０００４】
しかしながら、従来のバックパネル基板拡張装置は、制御信号をＬＥＤで光として出力し、ＣｄＳセルで光を検知する方式のため、コネクタの形状や構造によっては適用範囲が限られるという問題がある。また、ＣｄＳセルの経年劣化により、長期間の使用ができないという問題がある。
【０００５】
この発明は、上述した問題を解消するためになされたものであり、バックパネル基板の拡張を容易にしてシステムの拡張性を向上させることができるバックパネル基板拡張装置を提供することを課題とする。
【課題を解決するための手段】
【０００６】
この発明に係るバックパネル基板拡張装置は、上記課題を解決するために、主バックパネル基板と拡張バックパネル基板を備えたバックパネル基板拡張装置であって、主バックパネル基板は、データを伝送する主データ伝送用バス配線と、制御信号を発生する制御信号回路と、主データ伝送用バス配線の一端と接地との間に設けられた第１終端抵抗と、主データ伝送用バス配線の他端に接続され、拡張バックパネル基板を接続するための拡張バックパネル基板用コネクタと、主データ伝送用バス配線の他端の近傍に設けられて、一方の端子が主データ伝送用バス配線に接続され、制御信号回路から拡張バックパネル基板を経由して送られてきた制御信号によって開閉が制御されるスイッチ回路と、スイッチ回路の他方の端子と接地との間に設けられた第２終端抵抗を備え、拡張バックパネル基板は、データを伝送する拡張データ伝送用バス配線と、拡張データ伝送用バス配線の一端に接続され、主バックパネル基板の拡張バックパネル基板用コネクタに嵌合して主データ伝送用バス配線と拡張データ伝送用バス配線とを接続するとともに、制御信号が経由する経路の一部を形成する主バックパネル基板用コネクタと、拡張データ伝送用バス配線の他端と接地との間に設けられた第３終端抵抗を備えている。
【発明の効果】
【０００７】
この発明に係るバックパネル基板拡張装置によれば、バックパネル基板を容易に拡張してシステムの拡張性を向上させることができるという効果を奏する。
【図面の簡単な説明】
【０００８】
【図１】この発明の実施の形態１に係るバックパネル基板拡張装置の構成を概略的に示す図である。
【図２】この発明の実施の形態１に係るバックパネル基板拡張装置の動作を説明するための図である。
【図３】この発明の実施の形態２に係るバックパネル基板拡張装置の構成を示す図である。
【発明を実施するための形態】
【０００９】
以下、この発明の実施の形態を、図面を参照しながら詳細に説明する。なお、以下に示す各図において、同一符号は同一または相当部分を示す。
【００１０】
実施の形態１．
この発明の実施の形態１に係るバックパネル基板拡張装置は、バックパネル基板を拡張可能に構成し、１つの伝送線（バス）に接続された、ＣＰＵまたはメモリなどといった素子の間（例えば、ＣＭＯＳなどにより構成されたディジタル回路間またはその機能ブロック間を含む）でバス伝送方式により信号を高速に伝送するものである。
【００１１】
図１は、この発明の実施の形態１に係るバックパネル基板拡張装置の構成を概略的に示す図である。このバックパネル基板拡張装置は、主バックパネル基板１、拡張バックパネル基板９ならびに複数のドータカード基板１５ａ，１５ｂ，１５ｃおよび１５ｄを備えている。
【００１２】
主バックパネル基板１は、主データ伝送用バス配線２、第１終端抵抗３、第２終端抵抗４、スイッチ回路５、制御信号回路６、多ピンの拡張バックパネル基板用コネクタ７、ドータカード用コネクタ８ａおよびドータカード用コネクタ８ｂを備えている。この主バックパネル基板１の詳細は後に詳細に説明する。
【００１３】
拡張バックパネル基板９は、拡張データ伝送用バス配線１０、第３終端抵抗１１、ピン短絡部１２、多ピンの主バックパネル基板用コネクタ１３、ドータカード用コネクタ１４ａおよびドータカード用コネクタ１４ｂを備えている。この拡張バックパネル基板９の詳細は後に詳細に説明する。
【００１４】
ドータカード基板１５ａは、送受信回路１６ａおよび主バックパネル基板用コネクタ１７ａを備えている。ドータカード基板１５ｂは、送受信回路１６ｂおよび主バックパネル基板用コネクタ１７ｂを備えている。ドータカード基板１５ｃは、送受信回路１６ｃおよび拡張バックパネル基板用コネクタ１７ｃを備えている。ドータカード基板１５ｄは、送受信回路１６ｄおよび拡張バックパネル基板用コネクタ１７ｄを備えている。これらドータカード基板１５ａ〜１５ｄの詳細は後に詳細に説明する。
【００１５】
まず、主バックパネル基板１、拡張バックパネル基板９、ドータカード基板１５ａ、ドータカード基板１５ｂ、ドータカード基板１５ｃおよびドータカード基板１５ｄの物理的な接続関係を説明する。
【００１６】
主バックパネル基板１と拡張バックパネル基板９との接続は、主バックパネル基板１に備えられた拡張バックパネル基板用コネクタ７と拡張バックパネル基板９に備えられた主バックパネル基板用コネクタ１３とを嵌合させることにより行われる。
【００１７】
主バックパネル基板１とドータカード基板１５ａとの接続は、主バックパネル基板１に備えられたドータカード用コネクタ８ａとドータカード基板１５ａに備えられた主バックパネル基板用コネクタ１７ａとを嵌合させることにより行われる。
【００１８】
主バックパネル基板１とドータカード基板１５ｂとの接続は、主バックパネル基板１に備えられたドータカード用コネクタ８ｂとドータカード基板１５ｂに備えられた主バックパネル基板用コネクタ１７ｂとを嵌合させることにより行われる。
【００１９】
拡張バックパネル基板９とドータカード基板１５ｃとの接続は、拡張バックパネル基板９に備えられたドータカード用コネクタ１４ａとドータカード基板１５ｃに備えられた拡張バックパネル基板用コネクタ１７ｃとを嵌合させることにより行われる。
【００２０】
拡張バックパネル基板９とドータカード基板１５ｄとの接続は、拡張バックパネル基板９に備えられたドータカード用コネクタ１４ｂとドータカード基板１５ｄに備えられた拡張バックパネル基板用コネクタ１７ｄとを嵌合させることにより行われる。
【００２１】
次に、主バックパネル基板１の詳細について説明する。データを伝送するための主データ伝送用バス配線２の一端は、第１終端抵抗３を介して接地されており、他端は多ピンの拡張バックパネル基板用コネクタ７に接続されている。
【００２２】
スイッチ回路５は、制御信号によって開閉が制御される開閉スイッチから構成されており、その制御端子に制御信号が入力されていない場合にオン状態になり、制御信号が入力されている場合にオフ状態になる。このスイッチ回路５は、主データ伝送用バス配線２と拡張バックパネル基板用コネクタ７との接続点（主データ伝送用バス配線２の他端）の近傍に設けられている。このスイッチ回路５の一端は主データ伝送用バス配線２に接続され、他端は第２終端抵抗４を介して接地されている。
【００２３】
制御信号回路６は、スイッチ回路５の開閉を制御する制御信号を生成する。制御信号としては、図示しない電源回路で発生された電源電圧を用いることができる。この制御信号回路６で生成された制御信号は、拡張バックパネル基板９を経由してスイッチ回路５の制御端子に送られる。具体的には、制御信号回路６で生成された制御信号は、拡張バックパネル基板用コネクタ７、拡張バックパネル基板９の主バックパネル基板用コネクタ１３、拡張バックパネル基板９のピン短絡部１２、拡張バックパネル基板９の主バックパネル基板用コネクタ１３および拡張バックパネル基板用コネクタ７を順次に経由してスイッチ回路５の制御端子に送られる。
【００２４】
また、主データ伝送用バス配線２の中途には、ドータカード基板１５ａを挿抜するためのドータカード用コネクタ８ａおよびドータカード基板１５ｂを挿抜するためのドータカード用コネクタ８ｂが接続されている。
【００２５】
次に、拡張バックパネル基板９の詳細について説明する。データを伝送するための拡張データ伝送用バス配線１０の一端は、多ピンの主バックパネル基板用コネクタ１３に接続されており、他端は、第３終端抵抗１１を介して接地されている。この主バックパネル基板用コネクタ１３は、主バックパネル基板１の拡張バックパネル基板用コネクタ７に嵌合して主データ伝送用バス配線２と拡張データ伝送用バス配線１０とを電気的に接続するとともに、主バックパネル基板１からの制御信号が経由する経路の一部を形成する。
【００２６】
また、拡張データ伝送用バス配線１０の中途には、ドータカード基板１５ｃを挿抜するためのドータカード用コネクタ１４ａおよびドータカード基板１５ｄを挿抜するためのドータカード用コネクタ１４ｂが接続されている。
【００２７】
ピン短絡部１２は、主バックパネル基板１の制御信号回路６から拡張バックパネル基板用コネクタ７および主バックパネル基板用コネクタ１３を介して送られてきた制御信号を、再度、主バックパネル基板用コネクタ１３および拡張バックパネル基板用コネクタ７を介して主バックパネル基板１に戻すように、主バックパネル基板用コネクタ１３のピンを短絡する。
【００２８】
次に、ドータカード基板１５ａ〜１５ｄの詳細について説明する。ドータカード基板１５ａは、送受信回路１６ａおよび送受信回路１６ａに接続された主バックパネル基板用コネクタ１７ａを備えている。同様に、ドータカード基板１５ｂは、送受信回路１６ｂおよび送受信回路１６ｂに接続された主バックパネル基板用コネクタ１７ｂを備えている。
【００２９】
また、ドータカード基板１５ｃは、送受信回路１６ｃおよび送受信回路１６ｃに接続された拡張バックパネル基板用コネクタ１７ｃを備えている。同様に、ドータカード基板１５ｄは、送受信回路１６ｄおよび送受信回路１６ｄに接続された拡張バックパネル基板用コネクタ１７ｄを備えている。
【００３０】
次に、上記のように構成される実施の形態１に係るバックパネル基板拡張装置の動作を説明する。図２は、実施の形態１に係るバックパネル基板拡張装置の動作を説明するための図である。
【００３１】
図２（ａ）は、主バックパネル基板１に拡張バックパネル基板９が接続されていない状態を示す図であり、図２（ｂ）は、主バックパネル基板１に拡張バックパネル基板９が接続された状態を示す図である。
【００３２】
バス伝送方式においては、インピーダンス不整合に起因する波形歪みを抑制するために、バス本線（実施の形態１では「主データ伝送用バス配線２」が対応する）の両端部にインピーダンス整合のため終端抵抗が必要となる。図２（ａ）に示すように、主バックパネル基板１に拡張バックパネル基板９が接続されていない状態のとき、スイッチ回路５はオン状態になり、主バックパネル基板１の主データ伝送用バス配線２の両端は第１終端抵抗３と第２終端抵抗４とによって終端される。
【００３３】
図２（ａ）に示すように、両端が第１終端抵抗３と第２終端抵抗４で終端された主データ伝送用バス配線２に、一端が第３終端抵抗１１で終端された拡張データ伝送用バス配線１０を電気的に接続する場合、バス本線（主データ伝送用バス配線２および拡張データ伝送用バス配線１０）の両端に第１終端抵抗３と第３終端抵抗１１とが接続されるとともに、バス本線の途中に第２終端抵抗４が接続された状態となる。この場合、バス本線のインピーダンス整合が崩れ、多重反射のためバス本線内を伝送する信号に波形歪みが発生する可能性がある。
【００３４】
そこで、図２（ｂ）に示すように、主バックパネル基板１に拡張バックパネル基板９が接続されると、制御信号回路６から送り出された制御信号（オフ信号）は、拡張バックパネル基板用コネクタ７および拡張バックパネル基板９の主バックパネル基板用コネクタ１３を経由し、拡張バックパネル基板９のピン短絡部１２で折り返され、拡張バックパネル基板９の主バックパネル基板用コネクタ１３および拡張バックパネル基板用コネクタ７を経由してスイッチ回路５の制御端子に送られる。スイッチ回路５は、制御信号が入力されるとオフ状態となり、主データ伝送用バス配線２から第２終端抵抗４が電気的に切り離される。この結果、主データ伝送用バス配線２と拡張データ伝送用バス配線１０からなるバス本線は、両端が第１終端抵抗３と第３終端抵抗１１とで終端された状態となり、バス本線上のインピーダンス不整合点がなくなるので、信号の多重反射の発生を抑制できる。
【００３５】
以上説明したように、実施の形態１に係るバックパネル基板拡張装置によれば、主バックパネル基板１に拡張バックパネル基板９を接続して拡張することにより、バックパネル基板に接続可能なドータカード基板の数を容易に増やすことができ、システムを自由に拡張できる。
【００３６】
実施の形態２．
この発明の実施の形態２に係るバックパネル基板拡張装置は、実施の形態１に係るバックパネル基板拡張装置よりも拡張性を持たせたものである。以下においては、実施の形態１と異なる部分を中心に説明する。
【００３７】
図３は、この発明の実施の形態２に係るバックパネル基板拡張装置の構成を示す図である。このバックパネル基板拡張装置は、実施の形態１に係るバックパネル基板拡張装置の主バックパネル基板１が主バックパネル基板１ａに変更されるとともに、拡張バックパネル基板９が拡張バックパネル基板９ａに変更されて構成されている。
【００３８】
主バックパネル基板１ａは、実施の形態１に係る主バックパネル基板１の制御信号回路６の代わりに電源回路（ＤＣ／ＤＣ）２０を設け、スイッチ回路１８、多ピンの拡張バックパネル基板用コネクタ２１および主電源線２３が追加されて構成されている。拡張バックパネル基板用コネクタ２１は、本発明の「他の拡張バックパネル基板用コネクタ」に対応する。この拡張バックパネル基板用コネクタ２１には、拡張バックパネル基板９ａと同様の拡張バックパネル基板（以下、「前段拡張バックパネル基板」という）が接続される。
【００３９】
また、拡張バックパネル基板９ａは、実施の形態１に係る拡張バックパネル基板９に、スイッチ回路１９、多ピンの拡張バックパネル基板用コネクタ２２および拡張電源線２４が追加されて構成されている。拡張バックパネル基板用コネクタ２２は、本発明の「他の拡張バックパネル基板用コネクタ」に対応する。拡張バックパネル基板用コネクタ２２には、拡張バックパネル基板９ａと同様の拡張バックパネル基板（以下、「後段拡張バックパネル基板」という）が接続される。
【００４０】
主バックパネル基板１ａ、拡張バックパネル基板９ａ、ドータカード基板１５ａ、ドータカード基板１５ｂ、ドータカード基板１５ｃおよびドータカード基板１５ｄの物理的な接続関係は、実施の形態１と同様である。
【００４１】
次に、主バックパネル基板１ａの詳細について説明する。主データ伝送用バス配線２の一端は、多ピンの拡張バックパネル基板用コネクタ２１に接続されており、他端は多ピンの拡張バックパネル基板用コネクタ７に接続されている。
【００４２】
スイッチ回路１８は、この発明の「他のスイッチ回路」に対応する。このスイッチ回路１８は、制御信号によって開閉が制御される開閉スイッチから構成されている。スイッチ回路１８は、その制御端子に制御信号が入力されていない場合にオン状態になり、制御信号が入力されている場合にオフ状態になる。このスイッチ回路１８は、主データ伝送用バス配線２と拡張バックパネル基板用コネクタ２１の接続点（主データ伝送用バス配線２の一端）の近傍に設けられている。このスイッチ回路１８の一方の端子は主データ伝送用バス配線２に接続され、他方の端子は第１終端抵抗３を介して接地されている。
【００４３】
電源回路２０は、実施の形態１と同様の制御信号回路として機能し、電源電圧を発生して制御信号として主電源線２３に出力する。この主電源線２３に出力された制御信号は、スイッチ回路５およびスイッチ回路１８の開閉を制御するために使用される。
【００４４】
電源回路２０で発生された制御信号は、拡張バックパネル基板９ａが接続されている場合は、拡張バックパネル基板用コネクタ７、拡張バックパネル基板９ａの主バックパネル基板用コネクタ１３、拡張バックパネル基板９ａのピン短絡部１２、拡張バックパネル基板９ａの主バックパネル基板用コネクタ１３および拡張バックパネル基板用コネクタ７を順次に経由してスイッチ回路５の制御端子に送られる。
【００４５】
また、電源回路２０で発生された制御信号は、拡張バックパネル基板用コネクタ２１に前段拡張バックパネル基板（図示しない）が接続されている場合は、拡張バックパネル基板用コネクタ２１、前段拡張バックパネル基板の主バックパネル基板用コネクタ（図示しない）、前段拡張バックパネル基板のピン短絡部（図示しない）、前段拡張バックパネル基板の主バックパネル基板用コネクタ（図示しない）および拡張バックパネル基板用コネクタ２１を順次に経由してスイッチ回路１８の制御端子に送られる。
【００４６】
次に、拡張バックパネル基板９ａの詳細について説明する。拡張データ伝送用バス配線１０の一端は、多ピンの主バックパネル基板用コネクタ１３に接続されており、他端は、多ピンの拡張バックパネル基板用コネクタ２２に接続されている。主バックパネル基板用コネクタ１３は、主バックパネル基板１ａの拡張バックパネル基板用コネクタ７に嵌合して主データ伝送用バス配線２と拡張データ伝送用バス配線１０とを電気的に接続するとともに、主バックパネル基板１ａからの制御信号が経由する経路の一部を形成する。
【００４７】
拡張バックパネル基板用コネクタ２２は、後段拡張バックパネル基板（図示しない）の拡張バックパネル基板用コネクタに嵌合して拡張データ伝送用バス配線１０と後段拡張バックパネル基板の拡張データ伝送用バス配線とを電気的に接続するとともに、拡張バックパネル基板９ａから拡張電源線２４を介して送られてくる制御信号が経由する経路の一部を形成する。
【００４８】
すなわち、拡張バックパネル基板９ａからの制御信号は、拡張バックパネル基板用コネクタ２２に後段拡張バックパネル基板が接続されている場合は、拡張バックパネル基板用コネクタ２２、後段拡張バックパネル基板の拡張バックパネル基板用コネクタ（図示しない）、後段拡張バックパネル基板のピン短絡部（図示しない）、後段拡張バックパネル基板の拡張バックパネル基板用コネクタ（図示しない）および拡張バックパネル基板用コネクタ２２を順次に経由してスイッチ回路１９の制御端子に送られる。
【００４９】
スイッチ回路１９は、この発明の「更に他のスイッチ回路」に対応する。このスイッチ回路１９は、制御信号によって開閉が制御される開閉スイッチから構成されており、その制御端子に制御信号が入力されていない場合にオン状態になり、制御信号が入力されている場合にオフ状態になる。このスイッチ回路１９は、拡張データ伝送用バス配線１０と拡張バックパネル基板用コネクタ２２の接続点（拡張データ伝送用バス配線１０の他端）の近傍に設けられている。このスイッチ回路１９の一方の端子は拡張データ伝送用バス配線１０に接続され、他方の端子は第３終端抵抗１１を介して接地されている。
【００５０】
次に、上記のように構成される実施の形態２に係るバックパネル基板拡張装置の動作を説明する。
【００５１】
主バックパネル基板１ａの拡張バックパネル基板用コネクタ７に拡張バックパネル基板９ａが接続されると、電源回路２０から出力された制御信号は、拡張バックパネル基板用コネクタ７および拡張バックパネル基板９ａの主バックパネル基板用コネクタ１３を経由し、拡張バックパネル基板９ａのピン短絡部１２で折り返され、拡張バックパネル基板９ａの主バックパネル基板用コネクタ１３および拡張バックパネル基板用コネクタ７を通ってスイッチ回路５の制御端子に送られる。スイッチ回路５は、制御信号が入力されるとオフ状態となり、主データ伝送用バス配線２から第２終端抵抗４が電気的に切り離される。
【００５２】
この状態で、拡張バックパネル基板用コネクタ２１に前段拡張バックパネル基板が接続されておらず、拡張バックパネル基板用コネクタ２２に後段拡張バックパネル基板が接続されていなければ、スイッチ回路１８がオン状態されるとともに、スイッチ回路１９がオン状態にされる。この結果、主データ伝送用バス配線２と拡張データ伝送用バス配線１０からなるバス本線は、両端が第１終端抵抗３と第３終端抵抗１１とで終端された状態となり、バス本線上のインピーダンス不整合点がなくなるので、信号の多重反射の発生を抑制できる。
【００５３】
上述した状態で、主バックパネル基板１ａの拡張バックパネル基板用コネクタ２１に前段拡張バックパネル基板（図示しない）が接続されると、電源回路２０から出力された制御信号は、拡張バックパネル基板用コネクタ２１および前段拡張バックパネル基板の主バックパネル基板用コネクタを経由し、前段拡張バックパネル基板のピン短絡部で折り返され、前段拡張バックパネル基板の主バックパネル基板用コネクタおよび拡張バックパネル基板用コネクタ２１を経由してスイッチ回路１８の制御端子に送られる。スイッチ回路１８は、制御信号が入力されるとオフ状態となり、主データ伝送用バス配線２から第１終端抵抗３が電気的に切り離される。
【００５４】
この場合、前段拡張バックパネル基板のスイッチ回路はオン状態になる。この結果、前段拡張バックパネル基板の拡張データ伝送用バス配線、主データ伝送用バス配線２および拡張データ伝送用バス配線１０からなるバス本線は、両端が前段拡張バックパネル基板の終端抵抗（図示しない）と第３終端抵抗１１とで終端された状態となり、バス本線上のインピーダンス不整合点がなくなるので、信号の多重反射の発生を抑制できる。
【００５５】
また、上述した状態で、拡張バックパネル基板９ａの拡張バックパネル基板用コネクタ２２に後段拡張バックパネル基板（図示しない）が接続されると、拡張バックパネル基板９ａの拡張電源線２４に流れている制御信号は、拡張バックパネル基板用コネクタ２２および後段拡張バックパネル基板の拡張バックパネル基板用コネクタを経由し、後段拡張バックパネル基板のピン短絡部で折り返され、後段拡張バックパネル基板の拡張バックパネル基板用コネクタおよび拡張バックパネル基板用コネクタ２２を経由してスイッチ回路１９の制御端子に送られる。スイッチ回路１９は、制御信号が入力されるとオフ状態となり、拡張データ伝送用バス配線１０から第３終端抵抗１１が電気的に切り離される。
【００５６】
この場合、後段拡張バックパネル基板のスイッチ回路がオン状態になる。この結果、主データ伝送用バス配線２、拡張データ伝送用バス配線１０および後段拡張バックパネル基板の拡張データ伝送用バス配線からなるバス本線は、両端が主バックパネル基板１ａの第１終端抵抗３と後段拡張バックパネル基板の終端抵抗（図示しない）とで終端された状態となり、バス本線上のインピーダンス不整合点がなくなるので、信号の多重反射の発生を抑制できる。
【００５７】
以上説明したように、実施の形態２に係るバックパネル基板拡張装置によれば、主バックパネル基板１ａに接続される拡張バックパネル基板９ａと、その後段または前段に拡張バックパネル基板を接続して拡張することにより、バックパネル基板に接続可能なドータカード基板の数を容易に増やすことができ、システムを自由に拡張できる。
【００５８】
なお、上述した実施の形態２に係るバックパネル基板拡張装置では、実施の形態１に係るバックパネル基板拡張装置の主バックパネル基板１を主バックパネル基板１ａに変更するとともに、拡張バックパネル基板９を拡張バックパネル基板９ａに変更したが、実施の形態１に係るバックパネル基板拡張装置の主バックパネル基板１のみ主バックパネル基板１ａに変更し、または、拡張バックパネル基板９のみを拡張バックパネル基板９ａに変更するように構成することもできる。
【００５９】
また、上述した実施の形態１および実施の形態２では、主バックパネル基板および拡張バックパネル基板上に実装されたドータカード用コネクタの数を２つとしたが、これに限定されず、ドータカード用コネクタの数は任意とすることができる。この構成によっても、上述した実施の形態１および実施の形態２と同様の効果を得ることができる。
【００６０】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６１】
１，１ａ  主バックパネル基板、２  主データ伝送用バス配線、３  第１終端抵抗、４  第２終端抵抗、５  スイッチ回路、６  制御信号回路、７，１７ｃ，１７ｄ，２１，２２  拡張バックパネル基板用コネクタ、８ａ，８ｂ，１４ａ，１４ｂ  ドータカード用コネクタ、９，９ａ  拡張バックパネル基板、１０  拡張データ伝送用バス配線、１１  第３終端抵抗、１２  ピン短絡部、１３，１７ａ，１７ｂ  主バックパネル基板用コネクタ、１５ａ，１５ｂ，１５ｃ，１５ｄ  ドータカード基板、１６ａ，１６ｂ，１６ｃ，１６ｄ  送受信回路、１８  他のスイッチ回路、１９  更に他のスイッチ回路、２０  電源回路、２３  主電源線、２４  拡張電源線。
【図１】
2012174026.tif 000003
【図２】
2012174026.tif 000004
【図３】
2012174026.tif 000005